【手続補正書】
【提出日】平成17年5月18日(2005.5.18)
【手続補正１】
【補正対象書類名】明細書
【補正対象項目名】特許請求の範囲
【補正方法】変更
【補正の内容】
【特許請求の範囲】
【請求項１】
券類に記憶された券類情報を読み取る読取手段と、
前記読取手段により読み取られた券類情報に基づいて精算金額を算出する算出手段と、
前記算出手段により算出された精算金額相当分を前記券類情報に含まれる金額情報から減額して金額情報を更新する更新手段と、
前記更新手段により金額情報が更新されたのに基づいて、金額情報が更新された旨及び更新された金額情報に対応する残額を案内する案内手段と、
を備えたことを特徴とする券類処理装置。
【請求項２】
券類に記憶された券類情報を読み取る読取手段と、
前記読取手段により読み取られた券類情報に基づいて精算金額を算出する算出手段と、
前記算出手段により算出された精算金額相当分を前記券類情報に含まれる金額情報から減額して金額情報を更新する更新手段と、
前記更新手段により金額情報が更新されたのに基づいて残額が所定金額以下になったか否かを判断する判断手段と、
前記判断手段により残額が所定金額以下になったと判断されたのに基づいて、金額情報が更新された旨及び更新された金額情報に対応する残額を案内する案内手段と、
を備えたことを特徴とする券類処理装置。
【請求項３】
前記読取手段は、無線通信により券類から券類情報を読み取る無線通信手段を備えたことを特徴とする請求項１または２に記載の券類処理装置。
【請求項４】
第１券類情報の入力を受け付ける第１入力手段と、
精算処理が行われた際に精算結果を案内するための第２券類情報の入力を受け付ける第２入力手段と、
前記第１及び第２入力手段により入力された第１及び第２券類情報に基づいて券類を発行する発行手段と、
前記発行手段により発行された券類に記憶された券類情報を読み取る読取手段と、
前記読取手段により読み取られた第１券類情報に基づいて精算処理を行う精算手段と、
前記読取手段により読み取られた券類情報に第２券類情報が含まれているか否かを判断する判断手段と、
前記判断手段により第２券類情報が含まれていると判断されたのに基づいて精算結果を案内する案内手段と、
を備えたことを特徴とする改札システム。
【請求項５】
第１券類情報の入力を受け付ける第１入力手段と、
精算処理が行われた際に精算結果を案内するための第２券類情報の入力を受け付ける第２入力手段と、
前記第１及び第２入力手段により入力された第１及び第２券類情報に基づいて券類を発行する発行手段と、
前記発行手段により発行された券類に記憶された券類情報を読み取る読取手段と、
前記読取手段により読み取られた第１券類情報に基づいて精算金額を算出する算出手段と、
前記算出手段により算出された精算金額相当分を第１券類情報に含まれる金額情報から減額して金額情報を更新する更新手段と、
前記更新手段により金額情報が更新されたのに基づいて、前記読取手段により読み取られた券類情報に第２券類情報が含まれているか否かを判断する判断手段と、
前記判断手段により第２券類情報が含まれていると判断されたのに基づいて、金額情報が更新された旨及び更新された金額情報に対応する残額を案内する案内手段と、
を備えたことを特徴とする改札システム。
【請求項６】
第１券類情報の入力を受け付ける第１入力手段と、
精算処理が行われた際に精算結果を案内するための第２券類情報の入力を受け付ける第２入力手段と、
前記第１及び第２入力手段により入力された第１及び第２券類情報に基づいて券類を発行する発行手段と、
前記発行手段により発行された券類に記憶された券類情報を読み取る読取手段と、
前記読取手段により読み取られた第１券類情報に基づいて精算金額を算出する算出手段と、
前記算出手段により算出された精算金額相当分を第１券類情報に含まれる金額情報から減額して金額情報を更新する更新手段と、
案内画面を表示する表示手段と、
案内音声を出力する音声出力手段と、
前記更新手段により金額情報が更新されたのに基づいて、前記読取手段により読み取られた券類情報に第２券類情報が含まれているか否かを判断する判断手段と、
前記判断手段により第２券類情報が含まれていると判断されたのに基づいて、金額情報が更新された旨及び更新された金額情報に対応する残額を前記表示手段に表示するとともに前記音声出力手段により音声出力するよう制御する制御手段と、
を備えたことを特徴とする改札システム。
【請求項７】
第１券類情報の入力を受け付ける第１入力手段と、
精算処理が行われた際に精算結果を案内するための第２券類情報の入力を受け付ける第２入力手段と、
精算結果を案内する際の警告発生残額に対応した第３券類情報の入力を受け付ける第３入力手段と、
前記第１乃至第３入力手段により入力された第１乃至第３券類情報に基づいて券類を発行する発行手段と、
前記発行手段により発行された券類に記憶された券類情報を読み取る読取手段と、
前記読取手段により読み取られた第１券類情報に基づいて精算金額を算出する算出手段と、
前記算出手段により算出された精算金額相当分を第１券類情報に含まれる金額情報から減額して金額情報を更新する更新手段と、
前記更新手段により金額情報が更新されたのに基づいて、前記読取手段により読み取られた券類情報に第２券類情報が含まれているか否かを判断する第１判断手段と、
前記第１判断手段により第２券類情報が含まれていると判断されたのに基づいて、残額が警告発生残額以下になったか否かを判断する第２判断手段と、
前記第２判断手段により残額が警告発生残額以下になったと判断されたのに基づいて、金額情報が更新された旨及び更新された金額情報に対応する残額を案内する案内手段と、
を備えたことを特徴とする改札システム。
【請求項８】
第１券類情報の入力を受け付ける第１入力手段と、
精算処理が行われた際に精算結果を案内するための第２券類情報の入力を受け付ける第２入力手段と、
精算結果を案内する際の警告発生残額に対応した第３券類情報の入力を受け付ける第３入力手段と、
前記第１乃至第３入力手段により入力された第１乃至第３券類情報に基づいて券類を発行する発行手段と、
前記発行手段により発行された券類に記憶された券類情報を読み取る読取手段と、
前記読取手段により読み取られた第１券類情報に基づいて精算金額を算出する算出手段と、
前記算出手段により算出された精算金額相当分を第１券類情報に含まれる金額情報から減額して金額情報を更新する更新手段と、
案内画面を表示する表示手段と、
案内音声を出力する音声出力手段と、
前記更新手段により金額情報が更新されたのに基づいて、前記読取手段により読み取られた券類情報に第２券類情報が含まれているか否かを判断する第１判断手段と、
前記第１判断手段により第２券類情報が含まれていると判断されたのに基づいて、残額が警告発生残額以下になったか否かを判断する第２判断手段と、
前記第２判断手段により残額が警告発生残額以下になったと判断されたのに基づいて、金額情報が更新された旨及び更新された金額情報に対応する残額を前記表示手段に表示するとともに前記音声出力手段により音声出力するよう制御する制御手段と、
を備えたことを特徴とする改札システム。
【請求項９】
前記読取手段により読み取られた券類情報に基づいて改札処理を行う改札手段を備えたことを特徴とする請求項４乃至８のいずれか１項に記載の改札システム。
【請求項１０】
前記読取手段は、無線通信により券類から券類情報を読み取る無線通信手段を備えたことを特徴とする請求項４乃至８のいずれか１項に記載の改札システム。
【請求項１１】
前記案内手段は、音声及び表示の少なくとも一方によって残額を案内することを特徴とする請求項１または２に記載の券類処理装置。
【手続補正２】
【補正対象書類名】明細書
【補正対象項目名】０００７
【補正方法】変更
【補正の内容】
【０００７】
【課題を解決するための手段】
この発明の第１の様態による券類処理装置は、
券類に記憶された券類情報を読み取る読取手段と、
前記読取手段により読み取られた券類情報に基づいて精算金額を算出する算出手段と、
前記算出手段により算出された精算金額相当分を前記券類情報に含まれる金額情報から減額して金額情報を更新する更新手段と、
前記更新手段により金額情報が更新されたのに基づいて、金額情報が更新された旨及び更新された金額情報に対応する残額を案内する案内手段と、
を備えたことを特徴とする。
【手続補正３】
【補正対象書類名】明細書
【補正対象項目名】０００８
【補正方法】変更
【補正の内容】
【０００８】
この発明の第２の様態による改札システムは、
第１券類情報の入力を受け付ける第１入力手段と、
精算処理が行われた際に精算結果を案内するための第２券類情報の入力を受け付ける第２入力手段と、
前記第１及び第２入力手段により入力された第１及び第２券類情報に基づいて券類を発行する発行手段と、
前記発行手段により発行された券類に記憶された券類情報を読み取る読取手段と、
前記読取手段により読み取られた第１券類情報に基づいて精算処理を行う精算手段と、
前記読取手段により読み取られた券類情報に第２券類情報が含まれているか否かを判断する判断手段と、
前記判断手段により第２券類情報が含まれていると判断されたのに基づいて精算結果を案内する案内手段と、
を備えたことを特徴とする。